(57)【要約】【課題】十分な強度を有するとともに穿刺性能の高い中空針、針付器具及び医療器具を提供する。【解決手段】中空の針管１１の先端部に針先１２が形成され、針先１２の最先端部に刃先１４が形成された中空針１であって、針先１２は、互いに交差することで刃先１４を形成する２つ以上の刃面１３と、流体の出入口となる２つ以上の流通口１５とを備え、それぞれの流通口１５は、互いに異なる刃面１３に設けられ、針管１１の中空部と連通するように形成されており、刃先１４が針管１１の外縁よりも内側に形成されることで、中空針１の強度及び穿刺性能が向上する。【選択図】図１
2016096846.tif 000002
【特許請求の範囲】
【請求項１】
中空の針管の先端部に針先が形成され、前記針先の最先端部に刃先が形成された中空針であって、
前記針先は、互いに交差することで前記刃先を形成する２つ以上の刃面と、流体の出入口となる２つ以上の流通口とを備え、
それぞれの前記流通口は、互いに異なる前記刃面に設けられ、前記針管の中空部と連通するように形成されていることを特徴とする中空針。
【請求項２】
前記刃先は、前記針管の中心軸上に形成されていることを特徴とする請求項１に記載の中空針。
【請求項３】
前記刃面は、前記針管の中心軸に向かって凹むように湾曲して形成された曲面であることを特徴とする請求項１又は２に記載の中空針。
【請求項４】
合成樹脂で形成されていることを特徴とする請求項１から３のいずれか１項に記載の中空針。
【請求項５】
さらに被取付体に連結可能な針基を備え、
前記針基は、前記針管に一体的に形成されていることを特徴とする請求項１から４のいずれか１項に記載の中空針。
【請求項６】
請求項１から５のいずれか１項に記載の中空針と筒体とを備え、
前記中空針と前記筒体とが一体的に形成されていることを特徴とする針付器具。
【請求項７】
請求項１から５のいずれか１項に記載の中空針を備える医療器具。
【発明の詳細な説明】
【技術分野】
【０００１】
本発明は、流体の注入や採取等を行う際に用いられる中空針、針付器具及び医療器具に関する。
【背景技術】
【０００２】
体内への薬液の注入や血液の採取等に用いられる中空の医療用針において、穿刺時の痛みを軽減すべく、針管の細径化や、穿刺抵抗を低減させるような刃面加工が施されている。また医療用針は、通常、金属材料で製造されるが、製造コストを低減すべく、金属材料に代えて、合成樹脂材料を用いて射出成形により一体的に形成された合成樹脂製針もある。合成樹脂製針において、金属製針と同等の穿刺性能を実現することは容易ではないが、種々の試みがなされている。
【０００３】
例えば、刃面の外縁部に角部を形成することで刃先を鋭利な形状とし、穿刺抵抗を低減した合成樹脂製針が提案されている（例えば特許文献１参照）。また刃面に錐体を形成することで、刃先を鋭利にするとともに、刃先部分の強度（剛性）を金属製針と同等程度まで向上させた合成樹脂製針も提案されている（例えば特許文献２参照）。
【先行技術文献】
【特許文献】
【０００４】
【特許文献１】特開２００２−１６５８８１号公報
【特許文献２】特開２００３−２５０８８８号公報
【発明の概要】
【発明が解決しようとする課題】
【０００５】
特許文献１に記載の合成樹脂製針のように、刃面の外縁部に角部を設け刃先を鋭利にすることで穿刺抵抗を低減させ、穿刺時の痛みを軽減することは可能であるが、刃先が外縁に設けられているので穿刺時に針管に対して加わる力が偏り、針管が撓んでしまう恐れがある。
【０００６】
特許文献２に記載の合成樹脂製針のように、刃面に錐体を設けることで刃先を鋭利にするとともに、刃先部分の強度を向上させることで穿刺抵抗を低減することも可能であるが、刃面に錐体を設けるための面積が必要となり、針管の細径化の妨げとなってしまう。
【０００７】
このように射出成形により製造される中空針において、針管を細径化しつつ、金属製の中空針と同等の穿刺性能を確保することは実現されていない。
【０００８】
本発明の目的は、十分な強度を有するとともに穿刺性能の高い中空針、針付器具及び医療器具を提供することである。
【課題を解決するための手段】
【０００９】
本発明は、中空の針管の先端部に針先が形成され、前記針先の最先端部に刃先が形成された中空針であって、前記針先は、互いに交差することで前記刃先を形成する２つ以上の刃面と、流体の出入口となる２つ以上の流通口とを備え、それぞれの前記流通口は、互いに異なる前記刃面に設けられ、前記針管の中空部と連通するように形成されていることを特徴とする中空針である。
【００１０】
また本発明において、前記刃先は、前記針管の中心軸上に形成されていることを特徴とする。
【００１１】
また本発明において、前記刃面は、前記針管の中心軸に向かって凹むように湾曲して形成された曲面であることを特徴とする。
【００１２】
また本発明の中空針は、合成樹脂で形成されていることを特徴とする。
【００１３】
また本発明の中空針は、さらに被取付体に連結可能な針基を備え、前記針基は、前記針管に一体的に形成されていることを特徴とする。
【００１４】
また本発明は、前記中空針と筒体とを備え、前記中空針と前記筒体とが一体的に形成されていることを特徴とする針付器具である。
【００１５】
また本発明は、前記中空針を備える医療器具である。
【発明の効果】
【００１６】
本発明の中空針は、針先に互いに交差することで刃先を形成する２つ以上の刃面を備えていることで、刃先が針管の外縁よりも内側に形成される。これにより穿刺時に針先及び針管に加わる力の偏りが軽減され、針管の撓み等を抑制することができ、中空針の強度及び穿刺性能を向上させることができる。また本発明の中空針は、２つ以上の流通口を備えているので、万が一、一方の流通口が閉塞したとしても、流体の注出又は吸引を継続して行うことができる。さらに本発明の中空針は、形状が単純であり低コストで製造可能である。
【図面の簡単な説明】
【００１７】
【図１】本発明の第１実施形態の中空針１の斜視図である。
【図２】図１の中空針１の正面図である。
【図３】図１の中空針１の側面図である。
【図４】図１の中空針１の平面図である。
【図５】図１の中空針１の底面図である。
【図６】図４の中空針１の切断線Ａ−Ａの断面図である。
【図７】図６のＢ部の部分拡大図である。
【図８】図６のＣ部の部分拡大図である。
【図９】本発明の第２実施形態の中空針２の軸方向に切断した断面図である。
【図１０】本発明の第３実施形態の中空針３の斜視図である。
【図１１】図１０の中空針３の正面図である。
【図１２】図１０の中空針３の側面図である。
【図１３】図１０の中空針３の平面図である。
【図１４】図１０の中空針３の底面図である。
【図１５】本発明の第４実施形態の中空針４の斜視図である。
【図１６】図１５の中空針４の正面図である。
【図１７】図１５の中空針４の側面図である。
【図１８】図１５の中空針４の平面図である。
【図１９】図１５の中空針４の底面図である。
【図２０】本発明の第５実施形態の中空針５の斜視図である。
【図２１】本発明の第６実施形態の中空針６の斜視図である。
【図２２】本発明の第７実施形態の針付器具７の斜視図である。
【図２３】本発明の第８実施形態の針付器具８の軸方向に切断した断面図である。
【発明を実施するための形態】
【００１８】
図１は、本発明の第１実施形態の中空針１の斜視図である。図２は、図１の中空針１の正面図である。図３は、図１の中空針１の側面図である。図４は、図１の中空針１の平面図である。図５は、図１の中空針１の底面図である。図６は、図２の中空針１の切断線Ａ−Ａの断面図である。図７（ａ）は、図６のＢ部の部分拡大図である。図７（ｂ）、図７（ｃ）は、図７（ａ）の中空針１の変形例を示す部分拡大図である。図８（ａ）は、図６のＣ部の部分拡大図である。図８（ｂ）は、図８（ａ）の中空針１の変形例を示す部分拡大図である。
【００１９】
本実施形態の中空針１は、円筒体の針管１１の先端部に針先１２を有し、針先１２の最先端部に刃先１４を有する中空針であって、針先１２が正面視において逆Ｖ字状となるように２つの刃面１３が形成されており、針管１１の中空部１６と連通するように各刃面１３に２つの流通口１５が形成されている。
【００２０】
中空針１の用途は、特定の用途に限定されるものではなく、例えば、人又は動物の体内へ薬液を注入する際の注射針や、採血を行う際の採血針又は留置針の内針、薬液が充填された容器のゴム栓を穿刺するびん針、薬液混合用の吸引針、その他、物体に穿刺し流体の注出又は吸引を行う用途に幅広く用いることができる。また中空針１の材料は、特定の材料に限定されるものではなく、例えば、金属や合成樹脂、繊維状の充填材を含む合成樹脂等を用途に応じて選択することができる。
【００２１】
針管１１は、先端部に針先１２を有する円筒管であり、針先１２の最先端部に形成された鋭利な刃先１４を突き当てて押し込むことで被穿刺物（図示省略）を穿刺し、中空部１６から流通口１５を介して流体の注出又は吸引を行う。針管１１は、例えば、針基（図示省略）などに支持され、針基を介して薬液注入用のシリンジ（図示省略）や採血用の採血管ホルダ等に連結される。
【００２２】
針管１１の長さ、外径及び内径の大きさは、用途によって適宜決めることができる。なお針管１１は、外径が小さい程、穿刺した際に人体が痛みを感じる痛点を避けることができる。一例を挙げると、外径が０．１８〜０．３０ｍｍ、内径が０．０７〜０．１７ｍｍのものが人体に穿刺する医療用針として特に好ましく用いられている。ただし、これに限定されるものではない。また針管１１は、穿刺時に針管１１にかかる力を分散すべく、外周面が先細のテーパ状に形成されていてもよい。さらに針管１１は、薬液等の注入抵抗を低減すべく、内周面が先細のテーパ状に形成されていてもよい。
【００２３】
また針管１１の中空部１６の縁は、図７（ａ）に示すように刃面１３と一体に外側に傾斜して形成されているが、これに限定されるものではなく、例えば、図７（ｂ）に示すように水平に形成されていてもよく、図７（ｃ）に示すように内側に傾斜して形成されていてもよい。
【００２４】
針先１２は、半円球体に２つの刃面１３が平面状に形成された形状をしており、２つの刃面１３が交差して形成された刃先１４と、針管１１の中空部１６と連通するように各刃面１３に形成された２つの流通口１５とを有する。
【００２５】
なお本実施形態において、針先１２の天井面１８は、図８（ａ）に示すように水平に形成されているが、これに限定されるものではなく、例えば、図８（ｂ）に示すように上に凸の円弧状に形成されていてもよい。
【００２６】
２つの刃面１３は、針先１２が正面視（図２）において逆Ｖ字状になるように、針管１１の中心軸Ｏを挟んで対称に、針管１１の中心軸Ｏに対して傾斜するように平面状に形成されており、針管１１の中心軸Ｏ上で互いに交差し、鋭利な刃先１４を形成している。
【００２７】
なお本実施形態において、２つの刃面１３は、正面視における針管１１の中心軸Ｏに対する刃先１４と刃面１３の基端とを結んだ直線の角度である刃先角度が同一となるように形成されているが、本発明の中空針において、各刃面における刃先角度は、特定の角度に限定されるものではなく、少なくとも刃先が針管の外縁よりも内側に形成されるように決められていればよい。
【００２８】
また本実施形態において、２つの刃面１３は、刃面１３を正面から見たときにリング状に形成されており、各刃面１３の内周が流通口１５の輪郭に一致しているが、これに限定されるものではなく、例えば、後述する第５実施形態の中空針５のように刃面５３の内周と流通口５５の輪郭とが必ずしも一致していなくてもよい。
【００２９】
次に本実施形態の中空針１の作用について説明する。中空針１は、刃先１４を被穿刺物に突き当てて押し込むことで穿刺される。また中空針１からの流体の注出又は吸引は、２つの流通口１５を介して中空部１６から行われる。
【００３０】
本実施形態の中空針１では、針管１１の中心軸Ｏ上に刃先１４が形成されているので、穿刺時に針管１１に加わる力の偏りが軽減され、針管１１の撓み等を抑制することができ、強度及び穿刺性能を向上させることができる。これにより、例えば、樹脂製の中空針において、強度を確保しつつ細径化することが可能となる。また形状が単純なので低コストで製造可能である。
【００３１】
さらに流通口１５を２つ備えているので、万が一、一方が閉塞してしまった場合でも、流体の注出又は吸引を継続して行うことができる。このとき注出時又は吸引時の流体の抵抗の増大を防止すべく、１つの流通口１５の面積が中空部１６の断面積以上になるように流通口１５が形成されていると、より好ましい。
【００３２】
図９は、本発明の第２実施形態の中空針２の軸方向に切断した断面図である。図１から図８に示す第１実施形態の中空針１と同一の構成には同一の符号を付して説明を省略する。第２実施形態の中空針２は、第１実施形態の中空針１と基本的構成は同じであるが、刃面２３の形状が異なる。
【００３３】
本実施形態の中空針２は、２つの刃面２３が針管２１の中心軸Ｏに向かって凹むように湾曲した曲面状に針先２２に形成されている。なお針管２１の胴部は、第１実施形態の中空針１の針管１１の胴部と同一形状である。
【００３４】
このような刃面形状とすることで、中空針２の穿刺抵抗を低減させることができる。本発明の中空針において、刃面の形状は、特定の形状に限定されるものではなく、穿刺性能や製造コスト等を考慮し、適宜最適な形状を採用することができる。
【００３５】
図１０は、本発明の第３実施形態の中空針３の斜視図である。図１１は、図１０の中空針３の正面図である。図１２は、図１０の中空針３の側面図である。図１３は、図１０の中空針３の平面図である。図１４は、図１０の中空針３の底面図である。図１から図８に示す第１実施形態の中空針１と同一の構成には同一の符号を付して説明を省略する。第３実施形態の中空針３は、第１実施形態の中空針１と基本的構成は同じであるが、針先３２の形状が異なる。
【００３６】
本実施形態の中空針３は、針先３２の形状が半紡錘体に平面状の２つの刃面１３が形成された形状になっている。このような針先形状とすることで、刃先１４がより鋭利になるとともに、穿刺時に針管３１に加わる力の偏りをより軽減させることができる。なお針管３１の胴部は、第１実施形態の中空針１の針管１１の胴部と同一形状である。
【００３７】
本発明の中空針において、針先形状は、特定の形状に限定されるものではなく、穿刺性能や製造コスト等を考慮し、適宜最適な形状を採用することができる。
【００３８】
図１５は、本発明の第４実施形態の中空針４の斜視図である。図１６は、図１５の中空針４の正面図である。図１７は、図１０の中空針４の側面図である。図１８は、図１０の中空針４の平面図である。図１９は、図１０の中空針４の底面図である。図１から図８に示す第１実施形態の中空針１と同一の構成には同一の符号を付して説明を省略する。第４実施形態の中空針４は、第１実施形態の中空針１と基本的構成は同じであるが、刃面４３の数が異なる。
【００３９】
本実施形態の中空針４は、針先４２に刃面４３が３つ形成されている。３つの刃面４３は、刃先角度が同一であり、平面視（図１８）において、１２０度の間隔で形成されている。３つの刃面４３は、一点で交差しており、該一点において刃先１４を形成している。また流通口１５は、針管４１の中空部１６と連通するように各刃面４３に形成されている。なお針管４１の胴部は、第１実施形態の中空針１の針管１１の胴部と同一形状である。
【００４０】
本実施形態の中空針４のように、本発明の中空針において、刃面の数は、特定の数に限定されるものではなく、４つ以上であってもよい。また各刃面同士の間隔は、特定の角度に限定されるものではない。また本発明の中空針において、流通口は、少なくとも２つ以上形成されていればよく、刃面が３つ以上形成されている場合には流通口が形成されていない刃面があってもよい。
【００４１】
図２０は、本発明の第５実施形態の中空針５の斜視図である。図１から図８に示す第１実施形態の中空針１と同一の構成には同一の符号を付して説明を省略する。第５実施形態の中空針５は、第１実施形態の中空針１と基本的構成は同じであるが、流通口５５が針先５２から針管５１の胴部にかけて形成されている。
【００４２】
本実施形態の中空針５は、流通口５５が正面視において長円形に形成されている。流通口５５は、各刃面５３から針管５１の胴部にかけて針管５１の中空部１６に貫通するように形成されている。このように流通口５５を形成することで流通口５５の面積を大きくすることができる。
【００４３】
図２１は、本発明の第６実施形態の中空針６の斜視図である。図１から図８に示す第１実施形態の中空針１と同一の構成には同一の符号を付して説明を省略する。第６実施形態の中空針６は、第１実施形態の中空針１に針基６１が一体的に形成された中空針である。
【００４４】
中空針６は、針管１１の基端部に一体的に形成された円筒キャップ様の針基６１を備える。針基６１は、例えば、注射器や採血管ホルダ等に連結可能な公知の針基と同様の構成、形状で形成することができる。
【００４５】
本実施形態の中空針６は、針管１１と針基６１とを射出成形等により一体的に形成することができるので、低コストで製造することができる。なお針基６１は、針管１１の基端部ではなく、針管１１の途中から形成されていてもよい。
【００４６】
図２２は、本発明の第７実施形態の針付器具７の斜視図である。図１から図８に示す第１実施形態の中空針１と同一の構成には同一の符号を付して説明を省略する。第７実施形態の針付器具７は、第１実施形態の中空針１にシリンジ７１が一体的に形成された針付医療器具である。
【００４７】
本実施形態の針付器具７は、針管１１の基端部に一体的に形成された円筒状のシリンジ７１を備える。シリンジ７１は、例えば、注射器等に用いられる公知のシリンジと同様の構成、形状で形成することができる。
【００４８】
本実施形態の針付器具７は、針管１１とシリンジ７１とを射出成形等により一体的に形成することができるので、低コストで製造することができる。なおシリンジ７１は、針管１１の基端部ではなく、針管１１の途中から形成されていてもよい。また第６実施形態の中空針６の針基６１からシリンジ７１を一体的に形成してもよい。
【００４９】
図２３は、本発明の第８実施形態の針付器具８の軸方向に切断した断面図である。なお図２３において、針先１２の構成要素の符号は省略している。図１から図８に示す第１実施形態の中空針１と同一の構成には同一の符号を付して説明を省略する。第８実施形態の針付器具８は、中空針８１と採血管ホルダ８２とが一体的に形成された針付医療器具である。
【００５０】
本実施形態の針付器具８では、中空針８１の針管８３の両端部に第１実施形態の中空針１と同一の針先１２が形成されている。なお針管８３の胴部は、第１実施形態の中空針１の針管１１の胴部と同一形状である。
【００５１】
採血管ホルダ８２は、針管８３の中間部分の外周面から一体的に形成されている。採血管ホルダ８２は、採血時に用いられる公知の採血管ホルダであり、採血管を挿入可能に円筒状に形成されており、端部に持ち手となるフランジ８５を備える。
【００５２】
なお採血管ホルダ８２の内側に位置する針先１２は、例えば、公知の採血管の栓を穿刺する用途に用いるものであり、人体に穿刺する用途に用いるものではないので、採血管ホルダ８２の外側の針先１２ほどの強度や穿刺性能が求められていない。このため採血管ホルダ８２の内側の針先に要求される強度、穿刺性能、外径の大きさ等によっては、採血管ホルダ８２の内側の針先は、他の公知のものを採用してもよい。
【００５３】
本実施形態の針付器具８は、中空針８１と採血管ホルダ８２とを射出成形等により一体的に形成することができるので、低コストで製造することができる。
【００５４】
以上、第１から第８実施形態の中空針１、２、３、４、５、６、針付器具７、８を用いて、本発明の中空針、針付器具及び医療器具を説明したが、本発明の中空針、針付器具及び医療器具は、上記実施形態に限定されるものではなく、要旨を変更しない範囲で変形して使用することができる。例えば、針管は、円筒体に限定されるものではなく、用途によっては角筒体等でもよい。
【００５５】
本発明の中空針、針付器具及び医療器具において、各実施形態の特徴を組合せたものを使用してもよいことは言うまでもない。例えば、第３から第６実施形態の中空針３、４、５、６においても、第２実施形態の中空針２のように、刃面が曲面状に形成されていてもよい。
【００５６】
また針管は、流通口とは別に筒部に薬液注入や採血用の孔が設けられていてもよく、公知の硬膜外針のように先端部が曲がっていてもよい。さらに針管は、直管に限定されるものではなく、３方向以上に分岐していてもよい。
【００５７】
また本発明の中空針及び針付器具は、医療用途に限定されるものではなく、工業用途等、広く産業用途に用いることができる。さらに産業用途において、特に、細径な中空針及び針付器具として好適に用いることができる。
【００５８】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００５９】
１、２、３、４、５、６  中空針
７、８  針付器具
１１、２１、３１、４１、５１、８３  針管
１２、２２、３２、４２、５２  針先
１３、２３、４３、５３  刃面
１４  刃先
１５、５５  流通口
１６  中空部
６１  針基
７１  シリンジ
８２  採血管ホルダ
【図１】
2016096846.tif 000003
【図２】
2016096846.tif 000004
【図３】
2016096846.tif 000005
【図４】
2016096846.tif 000006
【図５】
2016096846.tif 000007
【図６】
2016096846.tif 000008
【図７】
2016096846.tif 000009
【図８】
2016096846.tif 000010
【図９】
2016096846.tif 000011
【図１０】
2016096846.tif 000012
【図１１】
2016096846.tif 000013
【図１２】
2016096846.tif 000014
【図１３】
2016096846.tif 000015
【図１４】
2016096846.tif 000016
【図１５】
2016096846.tif 000017
【図１６】
2016096846.tif 000018
【図１７】
2016096846.tif 000019
【図１８】
2016096846.tif 000020
【図１９】
2016096846.tif 000021
【図２０】
2016096846.tif 000022
【図２１】
2016096846.tif 000023
【図２２】
2016096846.tif 000024
【図２３】
2016096846.tif 000025